(57)【要約】【課題】  製造が容易にでき、切離しが容易にできる蓋体を内容物収納部に一体化させて設けることにより、少量吐出が可能で、吸湿により劣化する内容物にも適する収納容器を提供すること。【解決手段】  収納ケースと、密封シートとからなる収納容器であって、収納ケースは、収納部と、収納部に連なる取出部と、蓋体とを具備しており、取出部は、収納ケースを横切って刻設した開封折目線により、取出口部と保持部とを形成可能に構成され、蓋体は、栓部を具え、収納ケースを横切って刻設した切取線により切離し可能に構成され、開封折目線により取出部を切断折曲げて形成された取出口と、保持部の保持口に蓋体の栓部をそれぞれ挿入保持させ、取出口を開閉自在としたことを特徴とする。【選択図】  図１  
2005153953.tif 000002
【特許請求の範囲】
【請求項１】
収納ケースと、密封シートとからなる収納容器であって、
収納ケースは、収納部と、収納部に連なる取出部と、蓋体とを具備しており、
取出部は、収納ケースを横切って刻設した開封折目線により、取出口部と保持部とを形成可能に構成され、
蓋体は、栓部を具え、収納ケースを横切って刻設した切取線により切離し可能に構成され、
開封折目線により取出部を切断折曲げて形成された取出口と、保持部の保持口に蓋体の栓部をそれぞれ挿入保持させ、取出口を開閉自在としたことを特徴とする収納容器。
【請求項２】
蓋体内に乾燥剤を収納し、栓部に設けた開孔を封緘ラベルにより被覆したことを特徴とする請求項１記載の収納容器。
【発明の詳細な説明】
【技術分野】
【０００１】
本発明は、洗剤、化粧料、食料品、医薬品等の粒状、粉末、錠剤、カプセル等の固形物を収容する収納容器に関するものである。
【背景技術】
【０００２】
洗剤、化粧料、食料品、医薬品等の固形物を収容する収納容器として、適量取出しできる収納容器は従来より知られている。
【特許文献１】実公昭５６−３３８８９号公報
【発明の開示】
【発明が解決しようとする課題】
【０００３】
上記特許文献１記載の収納容器は、内容物を取出し一度に使いきる小容量の容器であって、大容量の内容物を反復使用する場合に適用できないという問題があった。
特に、吸湿により劣化する錠剤等の内容物には適さないという問題があった。
【０００４】
本発明は、上記問題を解決することを課題として、製造が容易にでき、切離しが容易にできる蓋体を内容物収納部に一体化させて設けることにより、少量吐出が可能で、吸湿により劣化する内容物にも適する収納容器を提供することを目的とする。
【課題を解決するための手段】
【０００５】
本発明は、上記の課題を解決するため、収納容器として、収納ケースと、密封シートとからなる収納容器であって、収納ケースは、収納部と、収納部に連なる取出部と、蓋体とを具備しており、取出部は、収納ケースを横切って刻設した開封折目線により、取出口部と保持部とを形成可能に構成され、蓋体は、栓部を具え、収納ケースを横切って刻設した切取線により切離し可能に構成され、開封折目線により取出部を切断折曲げて形成された取出口と、保持部の保持口に蓋体の栓部をそれぞれ挿入保持させ、取出口を開閉自在としたことを特徴とする構成を採用する。
【０００６】
蓋体の実施態様として、蓋体内に乾燥剤を収納し、栓部に設けた開孔を封緘ラベルにより被覆したことを特徴とする構成を採用する。
【発明の効果】
【０００７】
本発明の収納容器は、収納ケースに切離しができる蓋体を設けることにより、製造コストの低減を図るとともに、内容物を小出しにして反復使用ができ、内容物の大容量化が図れるようになった。
また、蓋体内に乾燥剤を設けたことにより、吸湿により劣化する錠剤等の内容物にも適するようにできた。
【発明を実施するための最良の形態】
【０００８】
次に、本発明の収納容器の実施形態について図面を参照して説明する。
【０００９】
図１〜３に示すように、本発明の収納容器は、収納ケース１と密封シート２とから構成されている。
【００１０】
収納ケース１は、合成樹脂シートの熱成形によって成形され、内容物を収納する収納部３と、収納部３に連なる取出部４、蓋体５と吊り下げ部６とから構成されている。
【００１１】
取出部４には、収納ケース１を横切って開封折目線７が刻設され、取出部４は、開封折目線７を境に、取出口部８とＴ字形の保持部９が形成されるようになっている。
【００１２】
取出部４と蓋体５、蓋体５と吊り下げ部６との間には、収納ケース１を横切って切取線１０ａ、１０ｂが刻設され、蓋体５は、該切取線１０ａ、１０ｂを切断して切離すことができるように構成されている。
【００１３】
蓋体５は、乾燥剤１１の収納部１２と、取出部４内周と同一の外形を具えた一対の栓体１３ａ、１３ｂとから構成され、各栓体１３ａ、１３ｂ上面には、開孔１４が穿孔され、封緘ラベルとして、タックシール１５が貼着されている。
【００１４】
吊り下げ部６には、吊り金具の挿入溝１６が穿設されている。  
【００１５】
密封シート２は、アルミ箔、紙、樹脂層等の積層構造から構成されているものが望ましいが、収納ケース１と一体化可能であればどのような材質でもよい。
【００１６】
次に、本発明の収納容器の使用態様と、作用効果について説明する。
本発明の収納容器は、収納ケース１の収納部３に内容物を、蓋体５の収納部１２に乾燥剤１１を入れ、密封シート２で収納ケース１をシールし、タックシール１５を貼着して出荷され、店頭においては吊り金具により吊り下げられて展示される。
【００１７】
収納容器の使用にあたっては、収納ケース１を、保持部９をもって開封折目線７を切断するように、収納部３との間に折曲げ力を加えると、取出部４の膨出部４ａが切断され開封されると同時に、折目線７ａに沿って取出部のシール部４ｂと、密封シート２がともに折曲げられ、図３に示すように、取出部４に取出口部８の取出口１７と、保持部９の保持口１８が形成される。
【００１８】
蓋体５のタックシール１５を剥がして、栓体１３ａ、１３ｂを、取出口１７、保持口１８に挿入保持して、取出口を開閉自在とすることができる。
その際、保持部９がＴ字形に形成されているので、蓋体５の開閉時に安定して保持されるようになっている。
また、蓋体５に乾燥剤１１が入れてあるので、栓体１３の開孔１４を通じて収納部３から湿気を吸収するようにしているので、内容物を湿気から守ることができる。
【産業上の利用可能性】
【００１９】
収納ケースと蓋体とが一体化して形成されているので、生産性が向上し、コスト低減が図れた。
しかも切離しできる蓋体の栓部を、開封折目線を切断折り曲げて形成された取出口と、保持口にそれぞれ挿入保持し、取出口を開閉自在としたので、反復使用する容器としての用途を拡げることができる。
さらに、蓋体の内部に乾燥剤を挿入しておけば、湿気を忌避する内容物の収納にも使用でき用途を拡大することができる。
【図面の簡単な説明】
【００２０】
【図１】収納容器の斜視図である。
【図２】収納容器の縦断断面図である。
【図３】収納容器の蓋部を切離し、取出部を開口した状態の斜視図である。
【符号の説明】
【００２１】
１    収納ケース
２    密封シート
３    収納部
４    取出部
４ａ  膨出部
４ｂ  シール部
５    蓋体
６    吊り下げ部
７    開封折目線
７ａ  折目線
８    取出口部
９    保持部
１０ａ，ｂ  切取線
１１  乾燥剤
１２  収納部
１３ａ，ｂ  栓体  
１４  開孔
１５  タックシール
１６  挿入溝
１７  取出口
１８  保持口
【図１】
2005153953.tif 000003
【図２】
2005153953.tif 000004
【図３】
2005153953.tif 000005